(57)【要約】      （修正有）【課題】展張枠体内にシート状物を強固に展張する組み付け操作が容易な展張構造を提供する。【解決手段】長尺の枠材１２を枠組みして成る展張枠体内に、シート状物６がその周縁部１０を展張用部材１５を介して枠材に取付けられて展張され、シート状物の周縁部が周縁部の長手方向と平行に配された棒状部材２６を抱いて曲げ返され、曲げ返された周縁部と該曲げ返された周縁部より内がわの周縁部とが重畳されてなる重畳部１１が形成され、枠材が重畳部を沿わせて案内する案内部１３を備え、棒状部材を抱いた部分の周縁部が棒状部材を抱いた状態で展張用部材を介して枠材に係合され、重畳部が案内部に沿って曲げられて枠材の長手方向に延びる稜を形成して展張枠体の内がわに向けて張られるシート状物の展張構造である。【選択図】  図２
2006215074.tif 000002
【特許請求の範囲】
【請求項１】
長尺の枠材を枠組みして成る展張枠体内に、シート状物がその周縁部を展張用部材を介して該枠材に取付けられて展張され、
前記シート状物の周縁部が該周縁部の長手方向と平行に配された棒状部材を抱いて曲げ返され、曲げ返された該周縁部と該曲げ返された周縁部より内がわの周縁部とが重畳されてなる重畳部が形成され、
前記枠材が前記重畳部を沿わせて案内する案内部を備え、
前記棒状部材を抱いた部分の前記周縁部が前記棒状部材を抱いた状態で前記展張用部材を介して前記枠材に係合され、
前記重畳部が前記案内部に沿って曲げられて該枠材の長手方向に延びる稜を形成して前記展張枠体の内がわに向けて張られるシート状物の展張構造。
【請求項２】
前記枠材が該枠材の長手方向に延びる基面と、自身の長手方向を該基面の長手方向と平行にして該基面から立直する基壁とを備え、
前記展張用部材が、前記棒状部材を抱いた部分の前記周縁部を抱える抱え部を備えて、前記枠材に固定され、
前記抱え部と前記基壁と前記基面とで、前記棒状部材を抱いた部分の前記周縁部が囲まれる請求項１に記載のシート状物の展張構造。
【請求項３】
前記曲げ返された周縁部と該曲げ返された周縁部より内がわの前記周縁部
とが両面粘着テープを介して接着された請求項１又は２に記載のシート状物の展張構造。
【請求項４】
前記展張用部材が前記枠材に締結用ネジを介して締結される締結部を備える請求項１乃至３のいずれかに記載のシート状物の展張構造。
【請求項５】
前記案内部が前記基壁の端縁である請求項２乃至４のいずれかに記載のシート状物の展張構造。
【請求項６】
前記枠材が、前記基面の前記基壁と反対がわのかたわらに位置して前記枠材の長手方向に延びる挿入溝と、前記基面のかたわらに該挿入溝を間にして位置して前記基面と平行な取付け面とを備え、
前記展張用部材が、
自身の面方向を該挿入溝の長手方向と平行にしかつ前記挿入溝に自身の面方向に挿入される挿入板片部を備え、
前記締結部が、該挿入板片部の一の縁部から該挿入板片部の面方向と略直交方向に延出され前記取付け面に当接し前記締結用ネジを介して該取付け面に締結される、固定用板片部を備え、
前記抱え部が前記一の縁部から前記基壁に向けて曲りつつ延出された請求項５に記載のシート状物の展張構造。
【請求項７】
前記展張用部材が長尺であり、自身の長手方向を前記枠材の長手方向と平行に配される請求項６に記載のシート状物の展張構造。
【請求項８】
前記枠材の長手方向に亙って係止溝が設けられ、該係止溝の底面が前記基面と前記取付け面とを構成し、該係止溝の一の側壁が前記基壁を構成する請求項６又は７に記載のシート状物の展張構造。
【請求項９】
前記枠材の少なくとも一部を覆う蓋板を備え、前記蓋板の端部と、前記案内部との間に前記重畳部の該案内部に沿う部分が位置する請求項１乃至８のいずれかに記載のシート状物の展張構造。
【発明の詳細な説明】
【技術分野】
【０００１】
本発明は、展張枠体内シート状物が展張された展張構造に関する。
【背景技術】
【０００２】
展張枠体内シート状物を展張する方式は従来より各種開示されている。例えば、略コ字状の枠体の両端にシート挿入溝を設け、該シート挿入溝に連通してシート端部の保持杆の挿通孔を設けた保持枠にボルト取付孔を設けて止め金具を構成せしめたもの、（例えば、特許文献１参照。）や、シート周縁部に押え部材をあてがい且つ前記押え部材を取付溝に押込むことによりシートを引っ張りながらシート周縁部をシート取付枠に固定するもの（例えば、特許文献２、３参照。）が知られている。
【０００３】
前者は、展張力が略コ字状の枠体の両端に集中してかかるので、安定した強力な展張構造を得るうえでは不充分である。後者は、シート端縁を固定する機構と、シートに張力を付与する機構とがそれぞれ設けられ、構造が複雑で構成部材も多く、展張操作も手間がかかる。
【特許文献１】特開平１０−１１３２７６号公報
【特許文献２】特開２０００−１９９９８号公報
【特許文献３】実開平０３−５１８７号公報
【発明の開示】
【発明が解決しようとする課題】
【０００４】
本発明の目的は、展張枠体内にシート状物を強固に展張する組み付け操作が容易な展張構造を提供することにある。
【課題を解決するための手段】
【０００５】
本発明の要旨とするところは、長尺の枠材を枠組みして成る展張枠体内に、シート状物がその周縁部を展張用部材を介して該枠材に取付けられて展張され、
前記シート状物の周縁部が該周縁部の長手方向と平行に配された棒状部材を抱いて曲げ返され、曲げ返された該周縁部と該曲げ返された周縁部より内がわの周縁部とが重畳されてなる重畳部が形成され、
前記枠材が前記重畳部を沿わせて案内する案内部を備え、
前記棒状部材を抱いた部分の前記周縁部が前記棒状部材を抱いた状態で前記展張用部材を介して前記枠材に係合され、
前記重畳部が前記案内部に沿って曲げられて該枠材の長手方向に延びる稜を形成して前記展張枠体の内がわに向けて張られるシート状物の展張構造であることにある。
【０００６】
前記展張構造においては、前記枠材が該枠材の長手方向に延びる基面と、自身の長手方向を該基面の長手方向と平行にして該基面から立直する基壁とを備え得、
前記展張用部材が、前記棒状部材を抱いた部分の前記周縁部を抱える抱え部を備えて、前記枠材に固定され得、
前記抱え部と前記基壁と前記基面とで、前記棒状部材を抱いた部分の前記周縁部が囲まれ得る。
【０００７】
前記曲げ返された周縁部と該曲げ返された周縁部より内がわの前記周縁部とは、両面粘着テープを介して接着され得る。
【０００８】
前記展張用部材は、前記枠材に締結用ネジを介して締結される締結部を備え得る。
【０００９】
前記案内部は前記基壁の端縁であり得る。
【００１０】
前記展張構造においては、前記枠材が、前記基面の前記基壁と反対がわのかたわらに位置して前記枠材の長手方向に延びる挿入溝と、前記基面のかたわらに該挿入溝を間にして位置して前記基面と平行な取付け面とを備え得、
前記展張用部材が、
自身の面方向を該挿入溝の長手方向と平行にしかつ前記挿入溝に自身の面方向に挿入される挿入板片部を備え得、
前記締結部が、該挿入板片部の一の縁部から該挿入板片部の面方向と略直交方向に延出され前記取付け面に当接し前記締結用ネジを介して該取付け面に締結される、固定用板片部を備え得、
前記抱え部が前記一の縁部から前記基壁に向けて曲りつつ延出され得る。
【００１１】
前記展張構造においては、前記展張用部材が長尺であり得、自身の長手方向を前記枠材の長手方向と平行に配され得る。
【００１２】
前記展張構造においては、前記枠材の長手方向に亙って係止溝が設けられ得、該係止溝の底面が前記基面と前記取付け面とを構成し得、該係止溝の一の側壁が前記基壁を構成し得る。
【００１３】
前記展張構造は、前記係止溝を覆う蓋板を備え得、前記蓋板が断面略Ｌ字形の長尺蓋部材の一辺を構成し得、該長尺蓋部材の他辺が前記枠材の前記枠体に関して外がわの側面に当接して該枠材に固定され得る。
【００１４】
前記展張構造は、前記枠材を覆う蓋板を備え得、前記蓋板が断面略Ｌ字形の長尺蓋部材の一辺を構成し得、該長尺蓋部材の他辺が前記枠材の前記枠体に関して外がわの側面に当接して該枠材に固定され得る。
【００１５】
前記展張構造は、前記枠材の少なくとも一部を覆う蓋板を備え得、前記蓋板の端部と、前記案内部との間に前記重畳部の該案内部に沿う部分が位置し得る。
【発明の効果】
【００１６】
本発明によると、展張枠体内にシート状物を強固に展張する組み付け操作や張替え操作が容易で短時間で可能な展張構造が提供される。
【発明を実施するための最良の形態】
【００１７】
本発明の展張構造の実施形態について、図面を使用して説明する。なお、本明細書においては、各図にわたって記される同じ符号は同一又は同様の部材やものを示す。図１に示すように、本発明の展張構造２は、展張枠体４にシート状物６が展張された構造である。シート状物６の表面には公告用のメッセージや図柄８が記されていて、この展張構造２による構造体３は看板や標識として好適に用いられるものである。
【００１８】
展張構造２においては、展張枠体４内（内がわ）に、シート状物６がその周縁部１０を図１には不図示の展張用部材を介して展張枠体４を構成する長尺の枠材１２に取付けて展張される。シート状物６の表面は展張枠体４の前面に位置し、看板や標識を見る者はシート状物６の表面及び展張枠体４の前面に面することとなる。
【００１９】
図２に枠材１２の断面方向、例えばＡ−Ａ方向の断面にみた展張構造２の断面構成を示す。長尺の枠材１２の長手方向に平行に延びて、展張枠体４（図１）の前面に開口する係止溝１４が設けられる。係止溝１４は展張枠体４が張る面に略平行な底面１６を有し、底面１６の幅方向に関して中間に係止溝１４と平行して、即ち、枠材１２の長手方向と平行に挿入溝１９が係止溝１４の深さ方向に深さを有して形成されている。
底面１６は、係止溝１４の展張枠体４に関して内がわの側壁５５（基壁９）と挿入溝１９との間の部分の底面１６ａ（基面７）と、挿入溝１９と係止溝１４の展張枠体４に関して外がわの側壁２５との間の部分の底面１６ｂ（取付け面３３）とから構成される。即ち、枠材１２が、基面７の基壁９と反対がわのかたわらに位置して枠材１２の長手方向に延びる挿入溝１９と、基面７のかたわらに挿入溝１９を間にして位置して基面７と平行な取付け面３３とを備える。底面１６ａと底面１６ｂとは必ずしも面一でない。
【００２０】
展張用部材１５は、長尺の挿入板片部１８と、長尺の抱え部２０と、長尺の固定用板片部２２とから構成される。挿入板片部１８、抱え部２０、固定用板片部２２は互いに長手方向を平行にして配され、挿入板片部１８は長手方向を挿入溝１９の長手方向と平行にして挿入溝１９に自身の面１７の方向に挿入される。固定用板片部２２は挿入板片部１８の長縁部２３から展張枠体４の外方に延出される。即ち、挿入板片部１８と固定用板片部２２とはＬ字形に交わる。抱え部２０は断面が略円弧状であり、長縁部２３から展張枠体４の内方に曲りつつ延出される。抱え部２０は断面が鈎形であってもよい。
【００２１】
周縁部１０（図１）を構成する、シート状物６の周縁部１０がその周縁部１０の長手方向と平行に配された棒状部材２６を抱いて曲げ返され、曲げ返された周縁部１０ａと曲げ返された周縁部よりシート状物６に関して内がわの周縁部１０ｂとが重畳され、重畳部１１が形成されている。周縁部１０ａと周縁部１０ｂとは図２では不図示の粘着テープ等を介して接着されている。棒状部材２６を抱いた部分の周縁部１０が棒状部材２６を抱いた状態で係止溝１４に挿入されて抱え部２０の曲りの内がわ面と、側面２７と、底面１６ａとで囲まれる。
【００２２】
固定用板片部２２は自身の長手方向を挿入溝１９の長手方向と平行にして取付け面３３に面接し締結用ネジ２９を介して締結される。締結用ネジ２９はタッピングビスであることが好ましい。締結用ネジ２９の締め付けにより、棒状部材２６を抱いた部分の周縁部１０が、棒状部材２６を抱いた状態で、抱え部２０の曲りの内がわ面と、側面２７と、基面７とで強力に挟持され、枠材１２に係合される。符号９７、９９は、固定用板片部２２及び底面１６ｂ（取付け面３３）にそれぞれの長手方向に延出してそれぞれ形成された、締結用ネジ２９の位置決め用の浅溝である。締結用ネジ２９は枠材１２の長手方向に２０〜４０ｃｍおきに設けられることが好ましい。なお、抱え部２０を枠材１２に固定する態様は、抱え部２０を枠材１２に固定する機構を有するものであれば図２に示す態様に限定されない。
【００２３】
抱え部２０は長尺であることが好ましいが、棒状部材２６と棒状部材２６を抱いた部分の周縁部１０を抱えるものであれば短尺のものが枠材１２の長手方向に列状に複数個配された態様であってもよい。固定用板片部２２も、長尺であることが好ましいが、抱え部２０を枠材１２に固定する機構を有するものであれば短尺のものが枠材１２の長手方向に列状に複数個配された態様であってもよい。
【００２４】
なお、抱え部２０を枠材１２に固定する図２に示す態様は、締結用ネジ２９により固定用板片部２２が締め付けられる部分と、挿入板片部１８が挿入溝１９の内壁面から反力を受ける部分とが、抱え部２０が棒状部材２６と棒状部材２６を抱えた部分の周縁部１０に把持して作用する位置に対するそれぞれ力点と支点の関係にあり、効果的な締結と把持がなされて好ましい。
【００２５】
挿入板片部１８は長尺であることが好ましいが、短尺のものが枠材１２の長手方向に列状に複数個配された態様であってもよい。この場合、抱え部２０と固定用板片部２２のうちの少なくともいずれかが長尺であることが好ましい。
【００２６】
又、図２に示す態様においては、重畳部１１が係止溝１４の展張枠体４（図１）に関して内がわの側壁５５（基壁９）の内面即ち側面２７に接し、更に、係止溝１４の展張枠体４に関して内がわの開口縁（端縁）４３で、端縁の長手方向を軸として略直角に曲がって稜７７を形成して展張枠体４内（内がわ）の方向に延出する構成となっており、シート状物６の張力により開口縁４３とシート状物６との摩擦力が生じて効果的な展張がなされる。開口縁（端縁）４３は重畳部１１を沿わせて案内する案内部１３となっている。
【００２７】
更に又、重畳部１１が開口縁４３（案内部１３）に当接しつつ曲げられているので、シート状物６の張力により、重畳部１１が自身の面と直交する圧縮力をうけ周縁部１０ａと周縁部１０ｂとの摩擦力が増大するので、周縁部１０ａと周縁部１０ｂとが相互に滑ることを確実に防止され、安定した展張がなされる。なお、図２に示す態様においては、重畳部１１が開口縁（端縁）４３に当接しつつ略直角に方向をかえて曲げられているが、鋭角に曲げられる態様であってもよい。
【００２８】
更に、枠材１２は、長尺の固定用片部３６を備え、固定用片部３６を介して基礎枠体３４に固定される。固定用片部３６は、係止溝１４の外がわの側壁２５と底面１６とが交わる位置３１から側壁２５の延出方向とは逆方向に延出している。固定用片部３６の長手方向は枠材１２の長手方向と平行である。固定用片部３６は締結用さらネジ３７により、基礎枠体３４のフレーム３８の一辺４７に面接し締結され固定される。枠材１２の、底面１６の裏がわの外底面５０にフレーム３８の他辺５１が面接する。このようにして、枠材１２が基礎枠体３４に固定されて展張枠体４が形成される。
【００２９】
又、蓋板７８が係止溝１４の両側開口縁の上方にわたされて係止溝１４を覆って配される。蓋板の展張枠体４に関して内がわの端部４１が、係止溝１４の展張枠体４に関して内がわの開口縁４３の上方に位置し、両者間に周縁部１０の開口縁４３に接する部分が位置する。この位置で、シート状物６と蓋板７８とが接していることが好ましい。蓋板７８の展張枠体４に関して外がわの端部９３に、係止溝１４の展張枠体４に関して外がわの開口縁４５が挿入された装着溝部４６が形成されている。蓋板７８は断面略Ｌ字形の長尺蓋部材４８の一辺を構成し、長尺蓋部材４８の他辺９２は、枠材１２の展張枠体４に関して外がわの外側面に当接して固定用ネジ３５により締結されている。枠材１２とフレーム３８の一辺４７と長尺蓋部材４８とは共通のネジにより締結されてもよい。
【００３０】
図３に展張枠体４に展張されるシート状物６の形状を示す。シート状物６は四隅が四角形状に切り欠かれている。これにより直線状に延びる４個の周縁部１０それぞれが周縁部１０とほぼ同じ長さの棒状部材２６（図２）を抱くことが可能となる。
【００３１】
図４に棒状部材２６を抱いた周縁部１０の状態を示す。曲げ返された周縁部１０ａと、曲げ返された周縁部１０ａよりシート状物６に関して内がわの周縁部１０ｂとが重畳されて重畳部１１が構成される。周縁部１０ａと周縁部１０ｂとは接着剤又は両面粘着テープ５４を介して接着されている。この接着構造により、棒状部材２６と棒状部材２６を抱いた部分の周縁部１０が、抱え部２０（図２）の曲りの内がわ面と係止溝１４の内面とで安定して強力に挟持される。
【００３２】
展張構造２によるシート状物６の展張の操作を説明する。まず、基礎枠体３４に枠材１２を締結用さらネジ３７により図２に示す態様で締結固定し展張枠体４を形成する。一方、シート状物６を図３に示す形状に加工し、図４に示すように、周縁部１０で棒状部材２６を抱かせ、周縁部１０ａと周縁部１０ｂとを重畳して接着剤又は両面粘着テープ５４を介して接着させる。両面粘着テープによる接着は操作が容易で好ましい。
【００３３】
周縁部１０ａと周縁部１０ｂとは重畳された状態で縫合により固定されてもよい。あるいは、高周波ウエルダー等により融着されて固定されてもよい。
【００３４】
このように、棒状部材２６をシート状物６に抱かせてから周縁部１０ａと周縁部１０ｂとを重畳し接着、縫合、融着等により結合してもよいが、周縁部１０を自身の長手方向に沿った折り目で折り返して折り返した部分が筒状になるように周縁部１０ａと周縁部１０ｂとを重畳し、接着、縫合、融着等により結合し、その後、棒状部材をその筒状の部分の中空部に挿入してもよい。
【００３５】
次に、棒状部材２６と棒状部材２６を抱いた部分の周縁部１０を係止溝１４に挿入し、展張用部材１５の挿入板片部１８を挿入溝１９に挿入しつつ抱え部２０と係止溝１４の側面２７とで挟持させる。更に、固定用板片部２２を係止溝１４の底面に面接させるように締結用ネジ２９を介して締結する。
【００３６】
展張枠体４の各辺でこの操作を行なってシート状物６が展張枠体４に展張される。最後に長尺蓋部材４８を図２に示す態様で展張用部材１５にセットして固定用ネジ３７により締結する。
【００３７】
この操作の各段階の作業はいずれも熟練を要しない単純かつ短時間で行なわれる作業であり、かつ熟練を要しなくとも確実になされる作業である。従って、本発明の展張構造によるシート状物６の展張の操作は熟練を要しない単純かつ短時間で行なわれる操作であり、かつ熟練を要しなくとも確実になされる操作である。張替え操作も容易である。
【００３８】
又、本発明の展張構造に用いられる部材は種類が少なく、このことが組み付けの操作を容易にする一因である。又、部材の種類が少ないことにより部材の製造コストが少なくて済む。更に、この部材が長手方向に同一の断面形状の部材から成るものであり、引き抜き法等により容易に製造できるので、製造コストが少なくて済む。
【００３９】
又、展張構造２においては、図５に示すように、端部４１に防水パッキン６６が備えられて蓋板７８とシート状物６との間がシールされてもよい。このシールの構成は、展張枠体内部に照明装置を具備した内照式の看板、標識に好適に適当される。
【００４０】
本発明の展張構造において用いられる棒状部材（２６）は丸棒に限らず、図６に示すように、六角棒２６ａであってもよい。その他の多角形断面のものであってもよい。断面が楕円形や卵形であってもよい。棒状部材の素材は特に限定されず、例えば、アルミ、鉄、真鍮等の金属、ポリエチレン、ポリプロピレン、ポリアミド等の樹脂、樹脂とガラス繊維等の強化繊維との複合素材が挙げられる。又、棒状部材は剛直な部材に限定されず、形状が細長い部材であればロープ、紐のような可撓性を有するものであってもよい。ロープとしてはガラス繊維のストランドのような比較的硬い芯材入りのものが好ましい。
【００４１】
本発明の他の態様の一例を図７に示す。図７の展張構造２ａにおいては、基面７ａと、基壁９ａの壁面とが、展張枠体４が張る面に対して傾斜している。これにより周縁部１０ａと周縁部１０ｂとの、基壁９ａの縁４３ａ（重畳部１１を沿わせて案内する案内部１３ａ）における摩擦力が更に大きなものとなり、周縁部１０ａと周縁部１０ｂとが相互に滑ることが更に確実に防止され、安定した展張がなされる。なお、図７に示す態様においては、枠材１２ａに係止溝１４（図２）が存在せず、基面７と挿入溝１９とで展張用部材１５が枠材１２ａに係止される。符号４８ａは枠材１２ａに固定用ネジ３５により固定された長尺蓋部材である。
【００４２】
本発明の更に他の態様の一例を図８に示す。図８の展張構造２ｂにおいては、枠材１２ｂが展張方向と平行な壁面有して枠材１２ｂの長手方向に延出する底壁１０７ｂを備え、上下面と両側面とを有し外断面形状が方形の案内台１０８ｂが底壁１０７ｂから立設されている。
【００４３】
展張構造２ｂは、展張用部材１５ｂが、展張用部材１５（図２）における挿入板片部１８に相当する板片部材１８ｂと、案内板部材１０６を有し、展張用部材１５ｂの断面形状がコの字形になるように、固定用板片部２２ｂの両端縁それぞれから板片部材１８ｂと案内板部材１０６とが固定用板片部２２ｂの面方向と直交して立設されている。
【００４４】
一方、案内台１０８ｂは下面がわで底壁１０７ｂと連接し、枠材１２ｂの長手方向に延出される中空部１０９ｂが形成されている。図８においては、中空部１０９ｂが案内台１０８ｂの下面及びその近傍もくりぬかれた形状に形成されているが、案内台１０８ｂが中実であってもよい。
板片部材１８ｂと案内板部材１０６と固定用板片部２２ｂとで囲まれて形成される懐空間１１１ｂに案内台１０８ｂを挿入させて展張用部材１５ｂとが案内台１０８ｂに装着される。案内台１０８ｂの上面１１３ｂからボルト１００が立設されて、固定用板片部２２ｂの中央部に形成された貫通孔１０２に挿通させられている。ボルト１００に螺入したナット１０４を螺進させると、固定用板片部２２ｂ従って展張用部材１５ｂがナット１０４に押し進められてボルト１００の軸方向に図面視下降し、抱え部２０に抱えられた、棒状部材２６と棒状部材２６を抱いた部分の周縁部１０が図面視下降し、シート状物６が展張される。案内台１０８ｂの両の側面１１５ｂ、１１５ｂが展張用部材１５ｂの進退の案内面となっている。
【００４５】
展張構造２ｂはナット１０４の締め加減により展張張力の調整が可能で、最適な展張状態が容易に得られる。
【００４６】
又、長尺蓋部材４８ｂが枠材１２ｂを覆い図２と同様の態様で枠材１２ｂ及び基礎枠体３４に固定されるが、長尺蓋部材４８ｂは装着溝部４６（図２）を備えない。
【００４７】
本発明の別の態様においては、図９に示すように、展張用部材１５ｂがナット１０４に押し進められて展張面と平行な方向に摺動する構成の展張構造２ｆであってもよい。展張構造２ｆにおいては、枠材１２ｆにおける基面７が展張面と直交し、基壁９の面が展張面と平行である。
【００４８】
図９に示す態様においては、重畳部１１が係止溝１４ｆの側壁５５（基壁９）の内面に接し、更に、係止溝１４ｆの開口縁（端縁）４３で、端縁の長手方向を軸として稜７７を形成して曲がって更に方向を反転して展張枠体４（図１）内（内がわ）の方向に延出する構成となっている。又、案内台１０８ｂが基面７から展張方向に立設している。
【００４９】
本発明の又更に他の態様の一例を図１０に示す。図１０の展張構造２ｃにおいては、枠材１２ｃが、深さ方向が展張方向と平行である挿入溝１９ｃと、深さ方向が展張方向と直交するテンション用溝１１２を備える。棒状部材２６を抱いた部分の周縁部１０は、基面７ｃに載置されるか又は基面７ｃと間隔をおいて対面する状態に位置するが、挿入溝１９ｃは基面７ｂを構成する部材の、棒状部材２６を抱いた部分の周縁部１０が位置するがわとは反対側に、形成されている。テンション用溝１１２は基壁９の端縁部を一方の側壁として基壁９の展張枠体に関する内がわに枠材１２ｃの長手方向に延出して形成されている。
【００５０】
展張用部材１５ｃは、挿入溝１９ｃに挿入される挿入板片部１８ｃと、棒状部材２６と棒状部材２６を抱いた部分の周縁部１０とを抱える抱え部２０ｃと、を備える。又、展張用部材１５ｃは挿入板片部１８ｃと抱え部２０ｃとを連結する連結板部１１４を備える。挿入板片部１８ｃ、連結板部１１４、抱え部２０ｃは連結板部１１４を基底として断面略コの字状態に配置されている。展張用部材１５ｃの抱え部２０ｃがわの外側面１１５は、展張面と略面一に配される。抱え部２０ｃの外側面１１５と反対がわの側面１１７が、棒状部材２６を抱いた部分の周縁部１０と対面し、棒状部材２６と棒状部材２６を抱いた部分の周縁部１０とを抱える。連結板１１４の内がわ面１１９ｃも棒状部材２６を抱いた部分の周縁部１０と対面する。
【００５１】
又、展張構造２ｃは断面略Ｌ字形の長尺蓋部材４８ｃを備える。長尺蓋部材４８ｃは、展張面と平行に配される蓋板部１１６と、蓋板部１１６と直交する側板部１１８とから成る。蓋板部１１６には、テンション用溝１１２に挿入される挿入条１２４が、蓋板部１１６の先端部近傍から長尺蓋部材４８ｃの内がわに突出して設けられている。蓋板部１１６の内側面が根元がわで外側面１１５と当接し、蓋板部１１６と抱え部２０ｃとがその当接部分で止めビス１１９により締結固定される。
【００５２】
又、枠材１２ｃは、基礎枠体３４のフレーム３８の辺５１に面接する、展張面と平行な基底面１２０と、基底面１２０と直交しフレーム３８の辺５１と直交する辺４７と面接する固定用片部３６ｃを備える。側板部１１８が固定用片部３６ｃと面接し止めビス１２３により辺４７とともに締結固定される。側板部１１８は連結板１１４とも面接し展張用部材１５ｃを展張枠体の内側方向に押し込む状態で連結板１１４に当接する。
【００５３】
展張構造２ｃにおいては、枠材１２ｃに展張用部材１５ｃが長尺蓋部材４８ｃを介して締結固定されるとともに、その締結固定によりテンション用溝１１２に挿入条１２４が、シート状物６あるいは重畳部１１を略Ｕ字状に押し込む状態で、挿入されるので、シート状物６に充分な張力を付与することが出来る。
【００５４】
本発明の更に他の態様の一例を図１１に示す。図１１の展張構造２ｅは、枠材１２ｅ、展張用部材１５ｅ、長尺蓋部材４８ｅを備えて構成される。
【００５５】
枠材１２ｅは、自身の長手方向に平行な、側面ｐ、側面ｑ、側面ｒ、側面ｓを有する。側面ｐと側面ｑとは平行、側面ｒと側面ｓとは平行、側面ｐと側面ｒとは直交する。側面ｐは展張されたシート状物６と略面一に配される。側面ｒは展張枠体の内側に面し、側面ｓは展張枠体の外側に面する。
【００５６】
側面ｓの中間部に枠材１２ｅの長手方向に平行に、深さ方向が展張枠体の内側に向かう懐溝１３０が形成されている。更に、側面ｓには、側面ｐと懐溝１３０との間の位置に、枠材１２ｅの長手方向に平行に、嵌合用溝１３２が形成されている。嵌合用溝１３２は開口部で深さ方向が展張枠体の内側に向かい、奥まったところで深さ方向が円弧状に変化していき、更に進むと、底部では深さ方向が側面ｓと平行な方向となって側面ｐに向かう。
【００５７】
展張用部材１５ｅは、変形溝形の長尺板から成り、側面ｓに平行に対面して当接又は近接する中間板部１３４と、中間板部１３４の一の長縁から断面形状で鈎状又は弧状に展張用部材１５ｅの内がわに曲がった抱え部２０ｅと、中間板部１３４の他の長縁から立設し、端部で断面形状でみて円弧状に曲がって終端近傍で中間板部１３４の面方向と平行に展張用部材１５ｅの外がわに向けて延出する係合曲り板部１４０とから構成される。
【００５８】
棒状部材２６と棒状部材２６を抱いた部分の周縁部１０は、抱え部２０ｅに、抱え部２０ｅの曲りの内がわで抱えられた状態で懐溝１３０に挿入される。棒状部材２６と棒状部材２６を抱いた部分の周縁部１０は、懐溝１３０の側面ｐがわの側壁面１２７と、抱え部２０ｅとの間に挟まれて位置する。係合曲り板部１４０は嵌合用溝１３２に挿入され、係止されている。
【００５９】
重畳部１１は棒状部材２６を抱いた部分の周縁部から１０抱え部２０ｅの縁を巻いて中間板部１３４の外がわ面に沿って延出し、側面ｐと側面ｓとの交わる角部（稜）１４２に達し、更に側面ｐに沿って展張枠体の内側に向かう。
【００６０】
側面ｓと側面ｒとの間隔は、側面ｓの懐溝１３０がわの端部分１５０において、嵌合用溝１３２がわの部分におけるよりより大きく、中間板部１３４に沿って延出する部分の重畳部１１の外がわ面と略面一となっている。側面ｓと側面ｑとが交わる部分で長尺の固定用片部３６が、自身の長手方向を枠材１２ｅの長手方向に平行にして、側面ｓの面方向に平行に延出している。
【００６１】
長尺蓋部材４８ｅは、展張面と平行に配される蓋板部１１６ｅと、蓋板部１１６ｅと直交する側板部１１８ｅとが両者でＬ字形になるように配されて成る。蓋板部１１６ｅは、側面ｐとの間に側面ｐに沿う重畳部１１が位置するように配され、側板部１１８ｅは中間板部１３４との間に中間板部１３４に沿う重畳部１１が位置するように配される。側板部１１８ｅの端部と、固定用片部３６と、基礎枠体３４のフレーム３８の一辺４７とが重畳されて、固定用ネジ１３５で締結固定される。
【００６２】
又、側板部１１８ｅは、側面ｓの、懐溝１３０と側面ｒの間に位置する端部分１５０と面接し、締結用ネジ２９により締結される。これにより、展張用部材１５ｅが締結用ネジ２９と長尺蓋部材４８ｅとを介して枠材１２ｅに固定される。
【００６３】
本発明の更に又他の態様においては、図１２に示すように、側板部１１８ｅが重畳部１１を貫通するタッピングネジ１５１により、展張用部材１５ｅに締結されてもよい。
【００６４】
なお、本明細書図面図６〜図１２においては、簡明さのため、断面を表示するためのハッチングが省略されている個所がある。
【００６５】
本発明の展張構造は、画像やメッセージが、インクジェット等により印刷されたあるいは描かれた、布やフィルムやターポリン等のシート状物を展張して得られる看板、標識、その他の表示体に好適に適用される。又、本発明の展張構造は内照式、外照式いずれの看板、標識にも適用出来る。
【００６６】
その他、本発明は、主旨を逸脱しない範囲で当業者の知識に基づき種々なる改良、修正、変更を加えた態様で実施できるものである。
【産業上の利用可能性】
【００６７】
本発明の展張構造は、看板や標識に限らず、自立式スクリーン、可搬式スクリーン、縫製枠、刺繍枠、電池の隔膜の展張、日よけ用シートの展張、フィルタの展張、椅子の背もたれや座面、建築用パネル、仕切りパネル、捺染やスクリーン印刷におけるスクリーンの展張、平面アンテナ、電磁遮蔽パネル、キャンバス、等の、フィルム、布、ターポリン等のシートや膜を展張して用いる用途に広く適用される。
【図面の簡単な説明】
【００６８】
【図１】本発明の展張構造を説明する平面模式図である。
【図２】本発明の展張構造の態様を示す断面端面図である。
【図３】本発明の展張構造に用いられるシート状物の形状を示す平面図である。
【図４】本発明の展張構造におけるシート状物の周縁部の構成を示す断面模式図である。
【図５】図２に示す展張構造に防水パッキンが付加された態様を示す断面端面図である。
【図６】本発明の展張構造の他の態様の一例を示す断面端面図である。
【図７】本発明の展張構造の他の態様の一例を示す断面端面図である。
【図８】本発明の展張構造の更に他の態様の一例を示す断面端面図である。
【図９】図８に示す展張構造とは異なる本発明の展張構造の態様の一例を示す断面端面図である。
【図１０】本発明の展張構造の又更に他の態様の一例を示す断面端面図である。
【図１１】本発明の展張構造の更に別の態様の一例を示す断面端面図である。
【図１２】本発明の展張構造の又更に別の態様の一例を示す断面端面図である。
【符号の説明】
【００６９】
２、２ａ：展張構造
４：展張枠体
６：シート状物
７、７ａ：基面
９、９ａ：基壁
１０：周縁部
１１：重畳部
１２：枠材
１３：案内部
１４：係止溝
１５：展張用部材
１６：底面
１９：挿入溝
１８：挿入板片部
２０：抱え部
２２：固定用板片部
２６：棒状部材
２９：締結用ネジ
３３：取付け面
３４：基礎枠体
４８：長尺蓋部材
５４：両面粘着テープ
７８：蓋板
【図１】
2006215074.tif 000003
【図２】
2006215074.tif 000004
【図３】
2006215074.tif 000005
【図４】
2006215074.tif 000006
【図５】
2006215074.tif 000007
【図６】
2006215074.tif 000008
【図７】
2006215074.tif 000009
【図８】
2006215074.tif 000010
【図９】
2006215074.tif 000011
【図１０】
2006215074.tif 000012
【図１１】
2006215074.tif 000013
【図１２】
2006215074.tif 000014